(57)【要約】      （修正有）【課題】単純構造で簡単操作により時刻修正できる電波修正時計を提供する。【解決手段】標準電波受信系１１と、指針として分針および時針を駆動する時分針駆動系および時分針モータ１３１と、指針の示す位置を修正させる指針修正部１２０４と、指針および目安針の相対位置に応じた信号を出力する目安接点１９１と、目安針が示す位置を修正させる目安針設定部１９２と、目安針合わせカナにより予め定められた基準位置Ｐ０または基準位置Ｐ０の近傍領域ＡＲに目安針が設定された状態でリセットスイッチ１２０１が操作されると、時分針モータ１３１を駆動させて、目安接点１９１による検出結果に基づいて、指針を目安針が示す位置に移動させ、指針位置が基準位置Ｐ０にて受信スイッチ１２０２により時分針モータ１３１を駆動させて指針を標準時刻電波信号に応じた指針位置に移動させる制御回路１４とを設ける。【選択図】  図１
2004354349.tif 000002
【特許請求の範囲】
【請求項１】
標準時刻電波信号を受信する標準電波受信手段と、
指針を駆動する指針駆動手段と、
前記指針の示す位置を修正させる指針修正手段と、
前記指針および目安針の相対位置を検出する位置検出手段と、
前記目安針が示す位置を修正させる目安針修正手段と、
前記指針を前記目安針が示す位置に早送りさせる早送りスイッチと、
前記指針に前記標準時刻電波信号に応じた時刻表示を行わせる時刻設定スイッチと、
前記目安針修正手段により予め定められた基準位置または前記基準位置の近傍に前記目安針が設定された状態で前記早送りスイッチが操作されると、前記指針駆動手段を駆動させて前記位置検出手段による検出結果に基づいて前記指針を前記目安針が示す位置に移動させ、前記指針修正手段により前記指針の示す位置が基準位置に設定された状態で前記時刻設定スイッチが操作されると、前記指針駆動手段を駆動させて前記指針を前記基準位置から前記標準電波受信手段が受信した前記標準時刻電波信号に応じた指針位置に移動させる制御手段と
を有する電波修正時計。
【請求項２】
前記制御手段は、前記目安針修正手段により予め定められた基準位置または前記基準位置の近傍に前記目安針が設定された状態で前記早送りスイッチが操作されると、前記指針駆動手段に前記指針を早送り駆動させ、前記位置検出手段により前記指針が示す位置と前記目安針が示す位置との一致を検出すると、前記指針駆動手段による駆動を停止させて前記指針を前記目安針が示す位置に移動させる
請求項１に記載の電波修正時計。
【請求項３】
前記制御手段からの制御信号に基づいて設定時刻であることを報知する報知手段を有し、
前記制御手段は、前記位置検出手段により前記指針が示す位置と前記目安針が示す位置とが一致したことを検出すると、前記報知手段に報知させる制御信号を出力する
請求項１または２に記載の電波修正時計。
【請求項４】
前記制御手段は、アラームモードの場合には、前記位置検出手段により前記指針が示す位置と前記目安針が示す位置とが一致したことを検出すると、前記報知手段に報知させる制御信号を出力し、時刻修正モードの場合に、前記目安針修正手段により予め定められた基準位置または前記基準位置の近傍に前記目安針が設定された状態で前記早送りスイッチが操作されると、前記指針駆動手段に前記指針を早送り駆動させ、前記位置検出手段により前記指針が示す位置と前記目安針が示す位置との一致を検出すると、前記指針駆動手段による駆動を停止させて前記指針を前記目安針が示す位置に移動させ、前記指針修正手段により前記指針の示す位置が基準位置に設定された状態で前記時刻設定スイッチが操作されると、前記指針駆動手段を駆動させて前記指針を前記基準位置から前記標準電波受信手段が受信した前記標準時刻電波信号に応じた指針位置に移動させる
請求項１〜３のいずれかに記載の電波修正時計。
【発明の詳細な説明】
【０００１】
【発明の属する技術分野】
本発明は、例えば、アラーム時刻等の設定時刻を設定する目安機構を含む電波修正時計に関するものである。
【０００２】
【従来の技術】
標準電波送信局から送信される標準時刻電波信号を受信し、標準電波信号に応じて表示時刻を修正する電波修正時計が知られている。
従来、例えば時針、分針、秒針等の指針および文字盤を有する電波修正時計では、制御回路により標準時刻電波信号に基づいて指針を正確な指針位置に制御する。この際、予め指針位置に関する情報を何らかの手段により得る必要がある。
【０００３】
例えば、指針位置検出手段を有する電波修正時計が知られている。例えば指針を駆動する輪列に設けられた透孔を、位置検出用光が貫通や反射等を行うことにより、光検出センサが指針位置に関する情報を得る電波修正時計が知られている。
【０００４】
一方、位置検出手段を用いずに、例えば指針位置に対応する時刻情報を、ユーザが設定ボタン等により入力することで、指針位置に関する情報を得る電波修正時計が知られている（例えば、特許文献１参照）。
また、例えばユーザが予め定められた位置に指針を移動させることで、指針位置に関する情報を得る電波修正時計が知られている（例えば、特許文献２参照）。
【０００５】
【特許文献１】
特開２００１−３０５２４８号公報（第１−３図）
【特許文献２】
特許第３３７８００６号公報（第１−３図）
【０００６】
【発明が解決しようとする課題】
上述した位置検出手段を有する電波修正時計では、光センサや透孔が設けられた輪列等を含む複雑な構造の位置検出手段を設けなければならない。
【０００７】
一方、上述した位置検出手段を用いずに、時刻情報が入力される電波修正時計では、ユーザが時刻情報を入力する際に、煩雑な入力操作を行う必要があった。
【０００８】
また、上述した指針を定められた位置に設定させる電波修正時計では、例えば１２時００分等の設定時刻に設定する際に、現在の指針が示す時刻が６時頃の場合、手動で６時から１２時まで指針を移動させるという煩雑な操作を行う必要があった。
このため、単純な構造で、煩雑な操作を行わずに時刻修正を行うことができる電波修正時計が望まれている。
【０００９】
本発明は、かかる事情に鑑みてなされたものであり、その目的は、単純な構造で煩雑な操作を行わずに時刻修正を行うことができる電波修正時計を提供することにある。
【００１０】
【課題を解決するための手段】
前記目的を達成するために、本発明の観点は、標準時刻電波信号を受信する標準電波受信手段と、指針を駆動する指針駆動手段と、前記指針の示す位置を修正させる指針修正手段と、前記指針および目安針の相対位置を検出する位置検出手段と、前記目安針が示す位置を修正させる目安針修正手段と、前記指針を前記目安針が示す位置に早送りさせる早送りスイッチと、前記指針に前記標準時刻電波信号に応じた時刻表示を行わせる時刻設定スイッチと、前記目安針修正手段により予め定められた基準位置または前記基準位置の近傍に前記目安針が設定された状態で前記早送りスイッチが操作されると、前記指針駆動手段を駆動させて前記位置検出手段による検出結果に基づいて前記指針を前記目安針が示す位置に移動させ、前記指針修正手段により前記指針の示す位置が基準位置に設定された状態で前記時刻設定スイッチが操作されると、前記指針駆動手段を駆動させて前記指針を前記基準位置から前記標準電波受信手段が受信した前記標準時刻電波信号に応じた指針位置に移動させる制御手段とを有する。
【００１１】
本発明の観点によれば、標準電波受信手段では標準時刻電波信号を受信する。指針駆動手段では指針を駆動する。指針修正手段では指針の示す位置を修正させる。位置検出手段では指針および目安針の相対位置を検出する。目安針修正手段では目安針が示す位置を修正させる。
制御手段では、目安針修正手段により予め定められた基準位置または基準位置の近傍に目安針が設定された状態で早送りスイッチが操作されると、指針駆動手段を駆動させて位置検出手段による検出結果に基づいて指針を目安針が示す位置に移動させ、指針修正手段により指針の示す位置が基準位置に設定された状態で時刻設定スイッチが操作されると、指針駆動手段を駆動させて指針を基準位置から標準電波受信手段が受信した標準時刻電波信号に応じた指針位置に移動させる。
【００１２】
【発明の実施の形態】
本発明の実施形態に係る電波修正時計１は、例えば設定時刻に報知を行う目覚まし機能を備えたアナログ式の電波修正時計である。
電波修正時計１は、例えば目安機構を用いた位置検出機構を有し、例えばリセット時の指針位置の基準となる設定時刻を００時００分に設定する場合に、目安位置を基準となる設定時刻の近傍に例えば１１時５０分頃に設定する。
例えばユーザにより早送りスイッチに相当するリセットスイッチが操作されると、指針駆動系により指針が早送り駆動を行う。
【００１３】
指針駆動系による指針の早送り駆動により、指針が目安針の示す目安位置に相当する位置になると、目安接点がオン状態になり目安信号を出力する。目安接点から目安信号が出力されると指針駆動系による指針の早送り駆動を停止する。この状態では目安位置に指針が位置する。
そして指針修正手段により指針を基準位置である００時００分に設定された状態で受信スイッチが操作されると、標準電波受信系に標準時刻電波信号を受信させ、指針駆動系の指針駆動モータに駆動パルス信号を印加して、基準位置から標準時刻電波信号に含まれる時刻情報に応じた位置まで指針を移動させて正確な時刻表示を行う。
また、この目安針および目安機構はアラーム時刻の設定にも利用される。
【００１４】
以下、図を参照しながら本実施形態に係る電波修正時計を説明する。
図１は、本発明に係る電波修正時計の一実施形態の機能ブロック図である。
本実施形態に係る電波修正時計１は、例えば図１に示すように、標準電波受信系１１、スイッチ群１２、発振回路１３、制御回路１４、ドライブ回路１５、発光素子１６、バッファ回路１７、報知部１８、目安機構１９、秒針用モータ１２１、時分針用モータ１３１、トランジスタＱ１、抵抗素子Ｒ１，Ｒ２、およびキャパシタＣ１〜Ｃ５等を有する。
制御回路１４は本発明に係る制御手段に相当する。報知部１８は本発明に係る報知手段に相当する。
【００１５】
標準電波受信系１１、例えば、受信アンテナ１１ａと、不図示の標準電波送信所から送信された標準時刻情報（時刻コードとも言う）を含む標準電波を受信し、所定の処理を行い、パルス信号Ｓ１１として制御回路１４に出力する長波受信回路１１０を有する。
長波受信回路１１０は、例えば不図示のＲＦアンプ、検波回路、整流回路、および積分回路を有する。
【００１６】
長波受信回路１１０は、異なる複数の周波数を受信するために、例えば詳細には図１に示すように、４０ｋＨｚ受信回路１１１ｒ、６０ｋＨｚ受信回路１１２ｒ、および切換部１１３を有する。
【００１７】
４０ｋＨｚ受信回路１１１ｒは、受信アンテナ１１ａから周波数４０ｋＨｚの標準電波を復調し、受信信号Ｓ１１１を出力する。６０ｋＨｚ受信回路１１２ｒは、受信アンテナ１１ａから周波数６０ｋＨｚの標準電波を復調し、受信信号Ｓ１１２を出力する。
【００１８】
切換部１１３は、制御回路１４からの制御信号ＣＴＬ１１３に応じて、４０ｋＨｚ受信回路１１１ｒと６０ｋＨｚ受信回路１１２ｒを切換える。
切換部１１３は、例えば図１に示すように、端子１１３ａ、端子１１３ｂ、および端子１１３ｃを有する。
【００１９】
切換部１１３は、制御回路１４から４０ｋＨｚ受信回路１１１ｒに切換えさせる制御信号ＣＴＬ１１３を受信した場合には端子１１３ａと端子１１３ｃを接続し、制御回路１４から６０ｋＨｚ受信回路１１２ｒに切換えさせる制御信号ＣＴＬ１１３を受信した場合には端子１１３ｂと端子１１３ｃを接続し、４０ｋＨｚ受信回路１１１ｒおよび６０ｋＨｚ受信回路１１２ｒからの受信信号を択一的に、信号Ｓ１１として制御回路１４へ出力する。
【００２０】
なお、標準電波受信系１１で受信される、日本標準時を高精度で伝える長波の標準電波は、以下に示すような形態で送られる。
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
そして、受信状態が良好な場合には、標準電波受信系１１からは、標準電波信号に応じたパルス信号として信号Ｓ１１が制御回路１４に出力される。
【００２１】
なお、日本の標準電波は独立行政法人通信総合研究所（ＣＲＬ）のもとで運用されており、周波数４０ｋＨｚの標準電波を送信する標準電波送信所および周波数６０ｋＨｚの標準電波を送信する標準電波送信所が設けられている。
【００２２】
そして、受信状態が良好な場合には、標準電波受信系１１からは標準電波信号に応じたパルス信号として信号Ｓ１１が制御回路１４に出力される。
【００２３】
この信号Ｓ１１は、例えば第１のレベルに相当するハイレベルと、第２のレベルに相当するロウレベルにより構成されている。制御回路１４は、ハイレベル、およびロウレベル、ならびに、ハイレベルからロウレベルへの立下りエッジｅｄ１、およびロウレベルからハイレベルへの立上がりエッジｅｄ２に基づいて受信状態の評価処理を行う。
【００２４】
スイッチ群１２は、例えばユーザにより操作され、その操作に応じた信号が制御回路１４に出力される。
図２は、図１に示した電波修正時計の正面図である。
スイッチ群１２は、例えば図１，２に示すように、リセットスイッチ１２０１、受信スイッチ１２０２、アラームスイッチ１２０３、および指針修正部１２０４を有する。
リセットスイッチ１２０１は本発明に係る早送りスイッチに相当し、受信スイッチ１２０２は本発明に係る時刻設定スイッチに相当する。
【００２５】
電波修正時計１は、例えば図２に示すように、時計本体１００の正面中央部に文字盤１００１が設けられ、秒針ｈ１２、分針ｈ１３１、時針ｈ１３２、および目安針ｈ１９により、文字盤１００１上の位置を示すことにより時刻表示やアラーム時刻表示等が行われる。
電波修正時計１は、例えば図２に示すように、時計本体１００上面部にリセットスイッチ１２０１、受信スイッチ１２０２、アラームスイッチ１２０３、指針修正部１２０４等が設けられている。
【００２６】
リセットスイッチ１２０１は、指針を目安位置にまで早送りさせる場合に操作され、操作に応じた信号１２０１を制御回路１４に出力する。制御回路１４はリセットスイッチ１２０１が操作されると、時分針駆動系１３を駆動させ、指針が目安針ｈ１９の示す位置となり目安接点１９１から目安信号Ｓ１９が入力された場合に設定位置に指針を停止させる。
【００２７】
受信スイッチ１２０２は、標準電波受信系１１に標準時刻電波信号を受信させ、指針を正確な表示時刻に設定させる場合に操作され、操作に応じた信号Ｓ１２０２を制御回路１４に出力する。制御回路１４は、受信スイッチ１２０２が操作されると、標準電波受信系１１に標準時刻電波信号を受信させ、その標準時刻電波信号に含まれる時刻情報に基づいて、指針駆動系に指針を駆動させて、指針を正確な時刻に設定させる。
制御回路１４は、この際、ユーザにより設定された指針の基準位置から、時刻情報に応じたパルス駆動信号を駆動モータに印加することにより標準時刻を示す位置に指針を移動させる。
【００２８】
アラームスイッチ１２０３は、例えば、設定時刻に報知を行うアラームモードと時刻修正を行う時刻修正モードを切り替える際に操作される。
例えばアラームスイッチ１２０３は、アラームモード時に報知部１８による報知を停止させる際に操作され、操作に応じた信号Ｓ１２０３を制御回路１４に出力する。制御回路１４はアラームモード時にアラームスイッチ１２３が操作された場合には、報知部１８による報知音（アラーム音とも言う）の発音を停止させる。
【００２９】
例えば制御回路１４は、アラームスイッチ１２０３の状態に応じて時刻修正モードと報知モードを切り替える。詳細には、例えば制御回路１４は、アラームスイッチ１２０３がオフ状態の場合に時刻修正モードになり、オン状態では報知部１８にアラーム音の報知を行い、報知中にアラームスイッチ１２０３がオフ状態の場合には報知部１８による報知を停止させる。
【００３０】
指針修正部１２０４は、指針位置を修正させる際に操作され、操作に応じた信号Ｓ１２０４を制御回路１４に出力する。
例えば指針修正部１２０４は、分針ｈ１２および時針ｈ１３の指針ｈの示す位置を図に向かって右回りに移動させるプラススイッチ１２０４１、および指針ｈの示す位置を図に向かって左回りに移動させるマイナススイッチ１２０４２を有する。
【００３１】
制御回路１４は、プラススイッチ１２０４１が操作されると、分針ｈ１２および時針ｈ１３の指針ｈの位置の示す位置を図に向かって右回りに移動させる駆動パルスＣＴＬ２を時分針駆動モータ１３１に印加する。
一方、制御回路１４は、マイナススイッチ１２０４２が操作されると、分針ｈ１２および時針ｈ１３の指針ｈの示す位置を図に向かって左回りに移動させる駆動パルスＣＴＬ２を時分針駆動モータ１３１に印加する。
また、例えば図２に示すように時計本体１００右下部には、報知部１８のスピーカ１８２が設けられている。
【００３２】
発振回路１３は、水晶発振器ＣＲＹおよびキャパシタＣ２，Ｃ３により構成され、所定周波数の基本クロックを制御回路１４に供給する。
【００３３】
制御回路１４は、例えば本発明に係る機能を含むプログラムを内蔵し、そのプログラムに基づいて標準電波受信系１１、スイッチ群１２、発振回路１３、ドライブ回路１５、発光素子１６、バッファ回路１７、報知部１８、目安機構１９、秒針用モータ１２１、および時分針用モータ１３１等の制御を行う。
【００３４】
制御回路１４は、内部時計１４０１、およびメモリ１４０２を有する。
内部時計１４０１は、例えば時カウンタ、分カウンタ、および秒カウンタ等を含む。
メモリ１４０２は、例えば、制御回路１４のワークスペースとして用いられる。例えば、メモリ１４０２はＲＡＭ（Ｒａｎｄｏｍ  ａｃｃｅｓｓ  ｍｅｍｏｒｙ）等で構成される。
【００３５】
制御回路１４は、例えば時刻修正モードの場合には、予め定められた設定位置に目安針が設定された状態で、リセットスイッチ１２０１が操作されると、例えば指針である時針ｈ１３２および分針ｈ１３１を、指針駆動手段である後述する時分針用モータ１３１に駆動させて、目安針の示す位置まで指針を移動させる。
【００３６】
図３は、図１に示した目安位置の設定位置を説明するための図である。
制御回路１４に指針位置に関する情報を入力するために、指針を例えば基準時刻である００時００分に設定することにより、制御回路１４に指針位置が００時００分であることを設定する。
【００３７】
本実施形態では、例えば図３に示すように、目安針ｈ１９が示す位置を基準位置Ｐ０、または基準位置Ｐ０の近傍の領域ＡＲに設定し、リセットスイッチ１２０１が操作されると、制御回路は１４は、指針駆動手段、例えば時分針用モータ１３１に駆動パルス信号ＣＴＬ２を印加することにより、指針である時針ｈ１３２および分針ｈ１３１を早送り回転させ、指針が示す位置と目安針ｈ１９が示す位置が一致した場合に目安接点１９１からその旨を示す信号Ｓ１９が入力されると、駆動信号ＣＴＬ２の印加を停止し時分針用モータ１３１を停止させることで、指針を目安針ｈ１９が示す位置に停止させる。
【００３８】
早送り回転後、指針が停止した状態では、例えば機械的誤差のために、指針が示す位置と目安針ｈ１９が示す位置とは完全に一致しない場合がある。
この場合には、ユーザは予めその機械的誤差を考慮して指針が停止する位置が基準位置となるように、目安針ｈ１９の位置を基準位置Ｐ０の近傍の領域ＡＲに設定してもよい。
また、予め目安針ｈ１９を基準位置Ｐ０の近傍の領域ＡＲに設定して、指針を目安針ｈ１９が示す位置に早送りさせた後、例えばユーザにより操作された指針修正部１２０４からの信号Ｓ１２０４に基づいて指針位置を基準となる位置Ｐ０に設定してもよい。また、手動修正系１５０により指針位置を基準となる位置Ｐ０に設定してもよい。
【００３９】
制御回路１４は、指針が基準位置Ｐ０を示した状態、つまり基準となる時刻を示した状態で、受信スイッチ１２０２が操作されると、標準電波受信系１１に標準電波信号を受信させ、標準時刻電波信号をデコードして時刻情報を生成し、時刻情報に基づいて指針駆動手段である時分針用モータ１３１に駆動パルス信号ＣＴＬ２を印加することで、時刻情報に応じた指針位置に移動させる。
【００４０】
また、制御回路１４は、例えば、標準電波受信系１１の４０ｋＨｚ受信回路１１１ｒおよび６０ｋＨｚ受信回路１１２ｒの受信状態に基づいて標準電波の受信周波数を決定し、例えば受信強度が大きい標準電波の周波数を受信させる制御信号ＣＴＬ１１３を標準電波受信系１１に出力し、受信周波数を設定する。
【００４１】
制御回路１４は、その設定された受信周波数で受信された標準電波時刻信号に基づいて、時刻化が可能である場合には、発振回路１３による基本クロックに基づいて内部時計１４０１の各種カウンタのカウント制御を行う。
【００４２】
制御回路１４は、受信状態が基準範囲にない場合には、制御信号ＣＴＬ１，２を出力せずに、ドライブ信号ＤＲ１をドライブ回路１５に出力して発光素子１６を発光させてユーザに標準電波信号がほとんど受信できない旨を報知させる。
【００４３】
制御回路１４は、受信された標準時刻情報に基づいて、内部時計１４０１の各種時刻カウンタで計時されている時刻情報と標準時刻情報とを比較し、誤差が生じている場合には、その誤差に応じて時刻カウンタを修正し、その修正に応じてモータ１３１に制御信号ＣＴＬ２として、修正のためのパルス信号Ｐを入力して早送り駆動等を行い、指針による時刻表示の修正を行う。
【００４４】
詳細には、制御回路１４は、例えば４０ｋＨｚ受信回路１１１ｒを選択させる制御信号ＣＴＬ１１３を切換部１１３に出力し、４０ｋＨｚ受信回路１１１ｒから出力される標準電波の信号Ｓ１１１のサンプリング（例えば３２Ｈｚ）を行い、エッジｅｄを検出し、そのエッジｅｄの有無や数に基づいて評価値Ａを生成する。
【００４５】
また、制御回路１４は、所定の時間、例えば１秒内の各サンプリングタイミングでの、ハイレベルまたはロウレベルの合計を求め、その合計値に基づいて、標準時刻信号の揺らぎおよびノイズ量に応じて評価値Ｂを生成する。この評価値Ｂは、受信状態の安定性を示す。
【００４６】
制御回路１４は、評価値Ａおよび評価値Ｂに基づいて、例えば合計評価値（評価値Ａ＋評価値Ｂ）に基づいて、受信状態を評価する。
制御回路１４は、例えば上述の評価値Ａおよび／または評価値Ｂにより良好な受信状態であると判別された場合には、その良好な受信状態の標準電波の周波数を標準電波受信系１１の受信周波数に設定する。
【００４７】
また、制御回路１４は、良好でない受信状態の場合には、制御信号ＣＴＬ１１３を出力して標準電波受信系１１の受信周波数を切換え、６０ｋＨｚの標準電波を受信状態に基づいて同様に評価値Ａおよび評価値Ｂを生成し、以前の受信周波数の標準電波の受信状態を示す評価値Ａおよび評価値Ｂと比較し、標準電波系１１に受信状態が良いほうの受信周波数に設定させる。
制御回路１４は、設定された受信周波数をもって標準電波受信系１１で受信された標準電波に含まれる標準時刻信号に応じて、秒同期検出処理および時刻修正処理を行う。
【００４８】
また、制御回路１４は、上述した８秒間のサンプリング済みのデータに基づいて秒同期処理も行う。この場合には周波数選択によるオーバーヘッドを抑えることができる。
【００４９】
図４は、図１に示した電波修正時計の受信状態に応じた評価値の生成処理を説明するための図である。
図４（ａ）は受信信号のサンプリング結果を示す図であり、図４（ｂ）は評価値Ａの生成処理を説明するための図であり、図４（ｃ）は評価値Ｂの生成処理を説明するための図である。
【００５０】
制御回路１４は、例えばメモリ１４０２に所定の受信周波数の標準電波を所定のサンプリング周波数、例えば３２Ｈｚでサンプリングを行う。図４（ａ）はサンプリングした信号強度がハイレベルの場合に”１”、ロウレベルの場合に”０”とした場合に、横軸に１秒間にサンプリングした信号強度を示す。
例えば、内部時計１４０１の秒カウンタで０秒目から受信信号をサンプリングした場合に、例えば図４（ａ）の１行目に示すように、０，０，１，１，１，１，１，１，０，０，０，０，０，０，１，１，１，１，１，１，１，１，１，１，１，１，１，１，１，１，１，１と受信する。
【００５１】
次の１秒目では２行目に示すように、１，１，１，１，１，１，１，１，０，０，０，０，０，０，０，０，０，０，０，０，０，０，０，０，１，１，１，１，１，１，１，１と受信する。
以下２秒目〜８秒目も同様に受信する。この際、例えばメモリ１４０２をリングメモリとして使用する。
本実施形態では、図４（ａ）に示すように、標準電波のゼロ秒位置と内部時計１４０１が約０．２５秒ずれた場合の良好な受信状態の時の受信結果を示している。
【００５２】
制御回路１４は、受信信号のロウレベル”０”からハイレベル”１”、およびハイレベル”１“からロウレベル“０”を検出して、それぞれをエッジｅｄとし、秒毎にエッジｅｄがない場合に１、エッジがある場合に０としてｘ０〜ｘ７を生成し、そのｘ０〜ｘ７の合計数Ｘを算出する。例えば図４（ｂ）に示すように、０秒目〜８秒目は０であり、その合計数Ｘは０である。
【００５３】
制御回路１４は、秒毎にエッジ数ｙ０〜ｙ７を検出し、エッジ数ｙ０〜ｙ７を加算してエッジ数の合計数Ｙを算出する。
また、エッジの合計数Ｙが所定の値よりも大きい場合には、一定となるように、例えば数式（１）に示すように、合計数Ｙが３２よりも大きい値の場合に１５となるように調節し、合計数Ｚを生成する。
【００５４】
【数１】
2004354349.tif 000003
2004354349.tif 000004
【００５５】
制御回路１４は、例えば数式（２）に示すように合計数Ｘと合計数Ｚに基づいて評価値Ａを算出する。
【００５６】
【数２】
2004354349.tif 000005
2004354349.tif 000006
【００５７】
制御回路１４は、図４（ａ）に示すようにロウレベルを０、ハイレベルを１とした場合に、８秒間の同一タイミング毎に合計して、合計数ｂ０〜ｂ３１を生成し、タイミング毎のレベルの変化を評価する。合計数ｂ０〜ｂ３１を単に合計数ｂとも言う。
【００５８】
制御回路１４は、例えば図４（ａ）に示すような場合に、合計数ｂ０〜ｂ３１それぞれは、５，６，８，８，８，８，８，８，０，０，０，０，０，０，１，１，１，１，１，１，１，１，１，４，５，５，５，５，５，５，５，５とする。
【００５９】
制御回路１４は、合計数ｂに基づいて、ロウレベル“Ｌ（０）“の安定度ＳＬを生成する。
制御回路１４は、例えば図４（ｃ）に示すように、合計数ｂ１〜ｂ３１のうち０が５個以上連続している場合には安定度ＳＬを０と設定する。上記以外の場合であって１以下が５個以上連続する場合には安定度ＳＬを１と設定する。上記以外の場合であって２以下が５個以上連続する場合には安定度ＳＬを２と設定する。上記のいずれの条件にも相当しない場合には安定度ＳＬを７と設定する。
【００６０】
制御回路１４は、例えば図４（ｃ）に示すように、合計数ｂに基づいて、ハイレベル“Ｈ（１）“の安定度ＳＨを生成する。詳細には、制御回路１４は、例えば図４（ｃ）に示すように、合計数ｂ１〜ｂ３１のうち８が５個以上連続している場合には安定度ＳＨを０と設定する。上記以外の場合であって６以下が５個以上連続する場合には安定度ＳＨを１と設定する。上記以外の場合であって４以下が５個以上連続する場合には安定度ＳＨを２と設定する。上記のいずれの条件にも相当しない場合には安定度ＳＨを７と設定する。
【００６１】
制御回路１４は、これら安定度ＳＬおよび安定度ＳＨに基づいて評価値Ｂを生成する。例えば制御回路１４は、数式（３）に示すように安定度ＳＬと安定度ＳＨを加算して評価値Ｂを生成する。
【００６２】
【数３】
評価値Ｂ＝安定度ＳＬ＋安定度ＳＨ…（３）
【００６３】
評価値Ｂは、受信信号の安定度を示す指標であり、小さいほど安定している状態を示す。
制御回路１４は、図４（ａ）に示したような場合には、安定度ＳＬが０、安定度ＳＨが０であるから、評価値Ｂは０である。
【００６４】
制御回路１４は、評価値Ａおよび評価値Ｂに基づいて、受信信号の受信状態を示す評価値Ｃを生成する。例えば、制御回路１４は、数式（４）に示すように、評価値Ａおよび評価値Ｂを加算して評価値Ｃを生成する。評価値Ｃは小さいほど受信状態が良好であることを示す。
【００６５】
【数４】
評価値Ｃ＝評価値Ａ＋評価値Ｂ…（４）
【００６６】
図４（ａ）に示すような場合には、制御回路１４は、評価値Ａが０、評価値Ｂが０であるから、評価値Ｃは０であり、受信状態が極めて良好であると判別する。
【００６７】
制御回路１４は、例えば評価値Ｃが所定の値、例えば２よりも小さい場合には、極めて良好な受信状態であると判別し、評価したその受信周波数で受信するように長波受信回路１１０の受信周波数を設定する。
【００６８】
制御回路１４は、評価値Ｃが所定の値より大きい場合には、異なる周波数の標準電波をサンプリングして受信状態を評価し、異なる周波数の標準電波の受信状態を示す評価値Ｃと比較し、小さい方の評価値Ｃの周波数の標準電波を受信するような制御信号ＣＴＬ１１３を出力して標準電波受信系１１の受信周波数を設定する。
制御回路１４は、その設定された受信周波数で受信された標準電波時刻信号に基づいて、時刻化が可能である場合には、発振回路１３による基本クロックに基づいて内部時計１４０１の各種カウンタのカウント制御を行う。
【００６９】
制御回路１４は、受信状態が基準範囲にない場合には、制御信号ＣＴＬ１を出力せずに、ドライブ信号ＤＲ１をドライブ回路１５に出力して、報知手段としての発光素子１６を発光させてユーザに標準電波信号がほとんど受信できない旨を報知させる。
【００７０】
制御回路１４は、受信された標準時刻情報に基づいて、内部時計１４０１の各種時刻カウンタで計時されている時刻情報と標準時刻情報とを比較し、誤差が生じている場合には、その誤差に応じて時刻カウンタを修正し、その修正に応じてモータ１３１に制御信号ＣＴＬ２として、修正のためのパルス信号Ｐを入力して早送り駆動等を行い、指針による時刻表示の修正を行う。
【００７１】
報知部１８は、制御回路１４からの制御信号ＣＴＬ１８に基づいて設定時刻であることを報知する。本実施形態では報知部１８は、例えば発音によりユーザに設定時刻である旨を報知する。
報知部１８は、例えば図１に示すように、報知回路１８１、およびスピーカ１８２等を有する。
報知回路１８１は、制御信号ＣＴＬ１８を基に設定時刻に応じた発音メロディを生成し、スピーカ１８２にメロディに応じた発音を行わせる。
【００７２】
目安機構１９は、例えばユーザの操作により所定の時間が設定可能であり、設定された時刻に信号Ｓ１９を出力する。
目安機構１９は、例えば図１に示すように目安接点１９１、および目安設定部１９２等を主構成要素とする。
目安接点１９１は本発明に係る位置検出手段に相当し、目安設定部１９２は本発明に係る目安針修正手段に相当する。
【００７３】
目安接点１９１は、目安針ｈ１９および指針、例えば分針ｈ１３１および時針ｈ１３２の相対位置に応じた信号Ｓ１９を制御回路１４に出力する。
例えば詳細は、目安接点１９１は、指針、例えば時針ｈ１３２の示す位置が、目安針ｈ１９により示される時刻を示す位置になった場合に、ハイレベルの信号Ｓ１９を制御回路１４に出力する。その他の場合には、目安接点１９１は、ロウレベルの信号Ｓ１９を制御回路１４に出力する。
【００７４】
図５は、図１に示した電波修正時計の断面図である。図６は、図５に示した電波修正時計の目安車付近の斜視図である。図７は、図６に示した目安車付近の分解斜視図である。図８は、図１に示した電波修正時計の目安接点を説明するための図である。
【００７５】
時計本体１００は、図５に示すように、互いに対向して接続されて輪郭を形成する下ケース１１１、上ケース１１２、ならびに、下ケース１１１および上ケース１１２で形成される空間内において、下ケース１１１と連結した状態で配置される中板１１３、および第２ケース１１４を有する。下ケース１１１および上ケース１１２は第１ケースとも言う。
【００７６】
空間内の下ケース１１１、中板１１３、上ケース１１２の所定の位置に対して、第１駆動系（秒針駆動系）１２０、第２駆動系（時分針駆動系）１３０、手動修正系１５０等が固定あるいは軸支されている。
【００７７】
第１駆動系１２０は、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用ステッピングモータ１２１と、ステッピングモータ１２１のロータのピニオン１２１ｄに大径歯車が噛合した第１伝達歯車（第１検出用歯車）としての第１の５番車１２２と、この第１の５番車１２２の小型歯車１２２ｂに噛合した第２検出用歯車（第１指針車）としての秒針車１２３とにより構成されている。
ここで、秒針用ステッピングモータ１２１は、ステータが中板１１３に載置して固定され、ロータ１２１ｃが中板１１３と上ケース１１２とに軸支されており、制御回路１４の出力制御信号ＣＴＬ１に基づいて、その回転方向、回転角度、および回転速度が制御される。
【００７８】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用ステッピングモータ１２１のロータ１２１ｃ（ピニオン１２１ｄ）と噛合して、ロータ１２１ｃの回転速度を所定速度に減速させる。
【００７９】
秒針車１２３は、大径歯車１２３ａの歯数が６０個に形成され、その軸部の一端が上ケース１１２に軸支され、中板１１３を下ケース１１１側に貫通したその他端側には秒針軸が圧入されており、この秒針軸は、後述する分針パイプの内側に挿通されて、その先端に秒針ｈ１２が取り付けられている。
【００８０】
第２駆動系１３０は、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用ステッピングモータ１３１とロータ１３１ｃのピニオン１３１ｄに大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用ステッピングモータ１３１は、ステータ１３１ａが中板１１３に載置して固定され、ロータ１３１ｃが中板１１３と上ケース１１２とに軸支されており、制御回路１４の出力制御信号に基づいて、その回転方向、回転角度、および回転速度が制御される。
【００８１】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用ステッピングモータ１３１のロータ１３１ｃ（ピニオン１３１ｄ）と噛合して、ロータ１３１ｃの回転速度を所定速度に減速させる。
【００８２】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。
【００８３】
分針車１３４は、大径歯車１３４ａの歯数が６０個、小径歯車１３４ｂの歯数が１４個に形成され、その中央部には小径歯車１３４ｂが一体的に形成された分針パイプが、側面視にて略Ｔ字形状をなすように形成されている。そして、分針パイプの一端部が中板１１３に回動自在に軸支され、他端側の軸部は後述する時針車１３６の時針パイプの内部に回動自在に挿通されている。また、分針パイプは、下ケース１１１を貫通して時計の文字盤１００１側に突出しており、その先端には分針ｈ１３１が取り付けられている。
【００８４】
時針車１３６は、大型歯車１３６ａの歯数が４０個に形成され、その中央部に円筒状の時針パイプが一体的に取り付けられており、この時針パイプの内部に前述の分針パイプが挿通されている。そして、時針パイプは、下ケース１１１に形成された軸受け孔１１１ａに挿通されて回動自在に軸支されており、また、その先端側は下ケース１１１を貫通して時計の文字盤側１００１に突出しており、その先端には時針ｈ１３２が取り付けられている。
【００８５】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプに形成された小径歯車１３４ｂに噛合し、また、小径歯車１３５ｂが時針車１３６（１３６ａ）に噛合して、分針車１３４の回転を減速して時針車１３６に伝達する。
【００８６】
手動修正系１５０は、図５に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００８７】
手動修正軸１５１は、分針車１３４と同位相で回転するように構成されており、上述の第２駆動系１３０により分針車１３４が駆動されているときには日の裏車１３５を介して分針車１３４と同位相で回転すると共に、第２駆動系１３０の非作動時には、頭部１５１ｂを指で回転させることにより、指針位置を手動修正できるようになっている。
【００８８】
上記のように、秒針車１２３の秒針軸１２３ｂが分針車１３４の分針パイプに挿通され、分針車１３４の分針パイプが時針車１３６の時針パイプに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【００８９】
目安機構１９は、下ケース１１１に装着された第２ケース１１４に支持されている。
目安機構１９は、目安針合わせカナ１９０１と、目安針合わせカナ１９０１と噛合する中間歯車１９０２と、中間歯車１９０２と噛合する目安車１９０３と、時分針駆動系１３０の時針車１３６と同期回転する時伝え車１９０４と、時伝え車１９０４に追従する目安カム１９０５と、目安カム１９０５を目安車側に押圧する弾性部材１９０６と、弾性部材１９０６と離合する目安接点１９１とを備える。
また、目安車１９０３の軸端に支持された目安針ｈ１９が予定時刻を表示すると共に、目安接点１０９７が時分針の駆動に連動して繰り返られる構成となっている。
【００９０】
また、目安車１９０３、時伝え車１９０４、目安カム１９０５、および弾性部材１９０６は、秒針車１２３、分針車１３４、および時針車１３６の軸端を貫通する部材であり、さらに、秒針車１２３、分針車１３４、時針車１３６、および目安車１９０８の軸端は、第２ケース１１４の外部に露出され、文字盤１００１に対して配置される。
【００９１】
また、時針車１３６および時伝え車１９０４には、互いに係止される係止手段１３６ａ、１９０４ａがそれぞれ設けられている。本実施形態の係止手段１３６ａ、１９０４ａは、それらの連結部位に設けられた複数の凹部および凸部である。
【００９２】
このように、秒針駆動系１２０、時分針駆動系１３０は下ケース１１１および上ケース１１２にてユニット化され、目安機構１９が第２ケース１１４にてユニット化されている。
【００９３】
目安車１９０３は、目安針合わせカナ１９０１の操作に伴い、目安針１９０８とともに回転する。
また、例えば第２ケース１１４および目安車１９０３には、互いに交合すると停止位置規制手段１１４ａ，１９０３ａをそれぞれ設けており、目安針ｈ１９は、文字盤１１０１上において００時００分００秒を示す位置から１０分間隔で位置決めされる構成となっている。
【００９４】
本実施系形態に係る停止位置規制手段１１４ａ，１９０３ａは、第２ケース１１４と目安車１９０３との対向面にそれぞれ設けられた複数の小さな凹部および凸部である。
【００９５】
さらに、目安カム１９０５には、突起部８０５ａを設けると共に、時伝え車１９０８には、突起部１９０８ａを貫通する孔部１９０４ｂを設けており、目安カム１９０５は、弾性部材１９０６に押圧されて、突起部１９０５ａの先端を目安車１９０３に当接しつつ、時伝え車１９０４に追従して回転する。
【００９６】
弾性部材１９０６は、例えば第２ケース１１４にねじ止めされた基端部１９０６ａと、目安接点１９１に対して離合する先端部１９０６ｂと、秒針車１２３、分針車１３４、および時針車１３６の軸端を貫通するリング部１０９６ｃとを備えた金属性の部材である。
【００９７】
目安車１９０８の要所には、孔部１９０３ｂを設けており、目安カム１９０５は、一回転に一度、突起部１９０５ａが目安車１９０３の孔部１９０３ｂに没入することにより、目安車１９０３側にある程度移動する。
【００９８】
目安カム１９０５が目安車１９０３側に移動すると、弾性部材１９０６と目安接点１９１とが接触し、目安接点１９０７がオフ状態からオン状態となる。つまり、弾性部材１９０６および目安接点１９１は、それぞれ制御回路１４に接続された端子を有し、弾性部材１９０６と目安接点１９０７とが接触すると、それらが導通されて目安接点１９１がオン状態になる。
【００９９】
また、突起部１９０５ａの先端部には所定の向きのテーパーを設けており、突起部１９０５ａは、目安車１９０３の孔部１９０３ｂに没入した後、目安カム１９０５がある程度回転したところで、その孔部１９０３ｂから外脱する。突起部１９０５ａが孔部１９０３ｂから外脱すると、目安接点１９０７はオン状態からオフ状態となる。突起部１９０５部に没入している時間は、例えば本実施系形態では、２５〜５５分の間に設定している。
【０１００】
また、図に示すように、第２ケース１１４の位置決め手段１１４ｂ，目安車１９０３の位置決め手段１９０３ｃ，時伝え車１９０４の位置決め手段１９０４ｃ，目安カム１９０５の位置決め手段１９０５ｂとして、例えば図に示すように孔や窪みが形成されており、第２ケース１１４，目安車１９０３，時伝え車１９０４，目安カム１９０５を組み合わせる際に利用される。
すなわち、第２ケース１１４，目安車１９０３，時伝え車１９０４，目安カム１９０５は、位置決め手段１１４ｂ，１９０３ｃ，１９０４ｃ，１９０５ｂをお互いに揃えることにより、正確に組み付けられる。
【０１０１】
図９は、図１に示した電波修正時計の動作を説明するためのフローチャートである。図９を参照しながら、電波修正時計の動作を制御回路１４の動作を中心に説明する。ここでは、指針による表示時刻を修正する場合について説明する。
【０１０２】
例えば時刻修正を行うために、アラームスイッチ１２０３をオフ状態に設定する。制御回路１４ではアラームスイッチ１２０３からオフ状態を示す信号Ｓ１２０３を受信すると、時刻修正モードに設定される。
【０１０３】
例えば制御回路１４に指針位置に関する情報を入力するために、例えば指針を基準時刻である００時００分に設定することにより、制御回路１４に指針位置が００時００分であることを設定する。
【０１０４】
詳細には、ステップＳＴ１において、例えばユーザにより目安設定部１９２に相当する目安針合わせカナ１９０１が操作され、目安針ｈ１９が所定の設定位置、例えば設定位置としては、基準となる設定時刻００時００分であってもよいし、その設定時刻００時００分近傍に設定してもよい。
本実施系形態では、例えば１１時５０分に目安針ｈ１９の示す位置を設定する。
【０１０５】
ステップＳＴ２において、制御回路１４は、例えばユーザによりリセットスイッチ１２０１が操作されたか否かが判別され、リセットスイッチ１２０１が操作されたと判別された場合には、制御回路１４は時分針用モータ１３１に駆動信号ＣＴＬ２を出力し、時分針駆動系１３０を駆動して、分針ｈ１３１および時針ｈ１３２を早送り回転させる（ＳＴ３）。
【０１０６】
ステップＳＴ４において、制御回路１４は、目安接点１９１がオン状態を示す信号Ｓ１９が入力されたか否かが判別され、オン状態を示す信号Ｓ１９が入力された場合には、時分針用モータ１３１に印加する駆動パルス信号ＣＴＬ２を停止させて時分針用モータ１３１を停止させ（ＳＴ５）、分針ｈ１３１が目安針ｈ１９の示す位置で停止する。
【０１０７】
ステップＳＴ６において、例えばユーザは指針である時針ｈ１３２および分針ｈ１３１が、基準となる位置、例えば００時００分を示していない場合には、例えば指針修正部１２０４のプラススイッチ１２０４１およびマイナススイッチ１２０４２を操作して、指針である時針ｈ１３２および分針ｈ１３１を基準となる位置Ｐ０に設定する。
詳細には、制御回路１４は、例えばユーザの指針修正部１２０４の操作に応じた信号Ｓ１２０４に基づいて、指針である時針ｈ１３２および分針ｈ１３１を基準となる位置Ｐ０に設定する。
基準位置Ｐ０の位置設定は、この形態に限られるものではない。例えば手動修正系１５０により指針を基準位置Ｐ０に設定してもよい。
【０１０８】
ステップＳＴ７において、制御回路１４は、受信スイッチ１２０２が操作されたか否かが判別され、例えば受信スイッチ１２０２が操作されたことを示す信号Ｓ１２０２が入力されると、標準電波受信系１１に標準電波信号を受信させる（ＳＴ８）。
【０１０９】
ステップＳＴ９において、制御回路１４は、標準電波受信系１１が受信した標準電波信号に基づいて、標準電波信号をデコードして時刻情報を生成し、その時刻情報に基づいて、指針、例えば時針ｈ１３２および分針ｈ１３１がその時刻情報を示す位置になるように、時分針用モータ１３０に駆動パルス信号ＣＴＬ２を印加させることで、指針を早送り駆動させ、指針に標準時刻表示を行わせる。
【０１１０】
また、例えば秒針の設定としては、時分針を目安設定位置まで早送りする際には、制御回路１４は駆動パルス信号ＣＴＬ１を秒針用モータ１２１に出力して通常運針を行わせ、時針ｈ１３２が目安設定位置で停止させ同時に分針を停止させ、ユーザにより時分針が基準位置（０時００分）設定された後、ユーザにより秒針が０秒になった際に受信スイッチ１２０２が操作されることで、例えば秒針用モータ１２１を停止して秒針の基準位置（０秒）を検出した後、内部時計が計時する計時時刻に基づいて秒針の指針位置の指針修正を行う。
【０１１１】
また、例えば、制御回路１４は、駆動パルス信号ＣＴＬ１を秒針用モータ１２１に出力して通常運針を行わせ、時針ｈ１３２が目安設定位置で停止させたと同時に秒針用モータ１２１を停止し、その後指針修正を行ってもよい。
【０１１２】
また、この形態に限られるものではなく、例えば時分針を目安設定位置に早送りする際には、制御回路１４は秒針を停止させておいてもよく、時分針を所定位置に停止させた後、秒針も基準位置（０秒）に修正したのち、内部時計に基づいて指針修正を行ってもよい。
また、秒針の基準位置の設定には、不図示の秒針設定用のスイッチを設け、秒針が運針中に基準位置（０秒）になった際に秒針設定用のスイッチが操作されることで、制御回路は秒針の基準位置を検出してもよい。
【０１１３】
また、目安位置を基準位置または基準位置の近傍に設定し、時分針を目安位置に停止させる際に、秒針も目安位置に停止させる機構を設けることにより、秒針の位置が基準位置または基準位置の近傍であることを検出し、その検出結果および内部時計が計時する計時時刻に基づいて、駆動パルス信号ＣＴＬ１を秒針用モータに印加して、秒針の指針位置の修正を行ってもよい。
【０１１４】
また、アラームモードの場合、例えばアラームスイッチ１２０３がオン状態の場合には、ユーザは目安設定部１９２に相当する目安合わせカナ１９０１を操作することにより、目安針ｈ１９を所望の位置に設定する。
制御回路１４は、目安針ｈ１９の示す時刻が、指針、例えば時針ｈ１３２の示す時刻になった場合に、目安接点１９１がオン状態になると、報知部１８に制御信号Ｓ１８を出力し、報知回路１８１に所望のアラーム音をスピ−カ１８２を介して発音させる。
【０１１５】
図１０は、図１に示した電波修正時計の動作を説明するためのフローチャートである。電波修正時計１の動作を図１０を参照しながら、制御回路１４の受信周波数の評価を行う動作を中心に説明する。
【０１１６】
ステップＳＴ１０１において、制御回路１４では、例えば初期設定として、周波数４０ｋＨｚの標準電波を受信させる制御信号ＣＴＬ１１３を切換部１１３に出力して４０ｋＨｚ受信回路１１１ｒを活性化させて信号Ｓ１１１を受信する。
【０１１７】
ステップＳＴ１０２において、制御回路１４では、周波数選択および秒同期を含め、受信開始より３分以上経過したか否かが判別され、３分以上経過したと判別された場合には、受信周波数を確定せず（ＳＴ１０３）、一時受信周波数を４０ｋＨｚに設定し（ＳＴ１０４）、受信周波数の選択に係る処理を終了する。
【０１１８】
一方、ステップＳＴ１０２において、制御回路１４では、長波受信回路１１０からの出力の安定待ちを行い、詳細には受信開始から５秒間経過した場合には（ＳＴ１０５）、標準電波を８秒間受信してサンプリングを行う（ＳＴ１０６）。ステップＳＴ１０７において、制御回路１４では１秒毎のエッジｅｄ（両エッジ）を計測し、エッジｅｄのない秒を計測し（ＳＴ１０８）、図５に示したように、上記計数に基づいて評価値Ａを生成する（ＳＴ１０９）。
【０１１９】
ステップＳＴ１００において、制御回路１４では、サンプリングタイミング毎のレベルの計測が行われ、図４に示したように”Ｌ”レベルの安定度ＳＬを評価し（ＳＴ１１１）、”Ｈ”レベルの安定度ＳＨを評価し（ＳＴ１１２）、上記判定結果より評価値Ｂを算出する（ＳＴ１１３）。
ステップＳＴ１１４において、制御回路１４では、以前の評価値Ａをメモリ１４０２に保存し、最新の評価値Ｃを算出する（ＳＴ１１５）。
【０１２０】
ステップＳＴ１１６において、制御回路１４では、最初の受信であるか否かが判別される。最初の受信であると判別された場合には、評価値が２以下か否かが判別され（ＳＴ１１７）、今回の周波数を受信用の周波数に設定し（ＳＴ１１８）、秒同期処理へ進む（ＳＴ１１９）。
【０１２１】
一方、ステップＳＴ１１７の判別において、評価値Ｃが２以上、つまり２よりも大きい場合には、標準電波の受信周波数を切換える。例えば、４０ｋＨｚから６０ｋＨｚに受信周波数を切換える制御信号ＣＴＬ１１３を標準電波受信系１１に出力して受信周波数を切換え（ＳＴ１２０）、ステップＳＴ１２の処理に戻り、切換えられた周波数で同様な処理を行う。
【０１２２】
一方、ステップＳＴ１１６の判別において、最初の受信ではないと判別された場合には、今回の評価値Ｃと前回の評価値Ｃとが比較され（ＳＴ１２１）、比較の結果、異なる場合には、今回の評価値Ｃの方が前回の評価値Ｃよりも大きいか否かが判別され（ＳＴ１２２）、今回の評価値Ｃが大きいと判別された場合には、ステップＳＴ１１８の処理に進む。
【０１２３】
一方、ステップＳＴ１２２の判別において、今回の評価値Ｃの方が前回の評価値Ｃよりも小さいと判別された場合には、前回の周波数に確定され（ＳＴ１２３）、ステップＳＴ１１９の秒同期処理に進む。
一方、ステップＳＴ１２１の判別において、今回の評価値Ｃと前回の評価値Ｃが一致する場合には、評価値が１５であるか否かが判別され（ＳＴ１２４）、評価値が１５であると判別された場合には、受信状態が良くないと判別し、ステップＳＴ１２０の処理に移行する。
【０１２４】
一方、ステップＳＴ１２４の判別において、評価値が１５ではないと判別された場合には、受信状態が良くないと判別し、ステップＳＴ１１８の処理に移行する。
【０１２５】
制御回路１４は、受信周波数が確定すると確定フラグをセットし、受信周波数の確定後、２４時間正常に受信できない場合には、確定フラグをクリアして再度、受信周波数の上述した選択処理を行う。
【０１２６】
制御回路１４では、確定した受信周波数の標準電波信号に基づいて、例えば図４（ａ）に示したように、例えば、１１１１１１００００００となるパターンを検出し、その１から０への立下りエッジｅｄ１の時が、標準電波信号のゼロ点として、内部時計１４０１の秒同期処理を行う。
その後、制御回路１４は、分同期処理、時刻コード解析処理等を行い、標準時刻に応じて制御信号ＣＴＬ１，ＣＴＬ２をステッピングモータ１２１，１３１に出力し、早送り動作を行い、指針を標準時刻に設定する。
【０１２７】
以上説明したように、標準電波信号を受信する標準電波受信系１１と、指針として分針ｈ１３１および時針ｈ１３２を駆動する時分針駆動系１３０および時分針モータ１３１と、秒針ｈ１２を駆動する秒針駆動系１２０および秒針用モータ１２１と、指針の示す位置を修正させるための指針修正部１２０４および手動修正系１５０と、指針および目安針ｈ１９の相対位置に応じた信号を出力する目安接点１９１と、目安針ｈ１９が示す位置を修正させる目安針設定部１９２としての目安針合わせカナ１０９１と、指針を目安針ｈ１９が示す時刻まで早送りさせるリセットスイッチ１２０１と、指針に標準時刻電波信号に応じた時刻表示を行わせる受信スイッチ１２０２と、目安針合わせカナ１０９１により予め定められた基準位置Ｐ０または基準位置Ｐ０の近傍領域ＡＲに目安針ｈ１９が設定された状態でリセットスイッチ１２０１が操作されると、時分針駆動系１３０および時分針モータ１３１を駆動させて、目安接点１９１による検出結果に基づいて、指針を目安針ｈ１９が示す位置に移動させ、指針修正部１２０４および手動修正系１５０により指針の示す位置が基準位置Ｐ０に設定された状態で受信スイッチ１２０２が操作されると時分針駆動系１３０および時分針モータ１３１を駆動させて指針を基準位置Ｐ０から標準電波受信系１１が受信した標準時刻電波信号Ｓ１１に応じた指針位置に移動させる制御回路１４とを設けたので、単純な構造で煩雑な操作を行わずに時刻修正を行うことができる電波修正時計を提供することができる。
【０１２８】
また、制御回路１４からの制御信号Ｓ１８に基づいて設定時刻であることを報知する報知部１８を設け、制御回路１４は、アラームモードの場合、例えばアラームスイッチ１２０３がアラームモードを示す状態の場合には、目安接点１９１により指針が示す位置と目安針ｈ１９が示す位置とが一致したことを検出すると、報知部１８に報知させる制御信号Ｓ１８を出力し、時刻修正モードの場合には、指針を早送りさせて基準位置Ｐ０または基準位置Ｐ０近傍の領域ＡＲに設定させる際に目安機構１９を用いるので、目安機構１９を所望のアラーム時刻を設定させる機構として、かつ指針の早送り動作の目安位置を設定する機構として用いることができる。
【０１２９】
また、例えば従来の光センサや透孔が設けられた輪列等を含む複雑な構造の位置検出手段を有する電波修正時計のような複雑な構造の位置検出手段や輪列を設ける必要がなく、一般的な輪列および目安機構を有するアラーム時計に、上述した標準電波受信系１１および制御回路１４等を設けることで、簡単に標準時刻電波信号に応じた時刻表示を行うことができる。
また、上述したように一般的な輪列および目安機構を有するアラーム時計に、標準電波受信系１１および制御回路１４等を設ければよいので、従来の電波修正時計と比べて小型化することができる。
また、安価な既存のムーブメントを用いることができるので、安価に電波修正時計を製造することができる。
【０１３０】
なお、本発明は本実施形態に限られるものではなく、任意好適な種々の変更が可能である。
本実施系形態では、基準位置Ｐ０を００時００分を示す位置に設定したが、この形態に限られるものではない。
例えば予め基準位置Ｐ０は所定の時刻、例えば４時００分や８時００分等、任意の位置でよい。
この場合、ユーザはその基準位置Ｐ０または基準位置Ｐ０の近傍の領域ＡＲに目安針ｈ１９に設定し、リセットスイッチ１２０１を操作することで、基準位置Ｐ０またはその近傍に指針を移動させ、手動修正系１５０または指針修正部１２０４を操作することで、その基準位置Ｐ０に指針を設定させる。その後、ユーザが受信スイッチ１２０２を操作すると、制御回路１４は指針が示している位置を基準位置、例えば４時００や８時００分であると判別し、その基準位置から標準時刻電波信号に応じた標準時刻を示す位置にまで指針を移動させるパルス駆動信号ＣＴＬを、指針駆動系に印加することで、正確な時刻表示を行うことができる。
【０１３１】
また、本実施形態において目安機構１９は一方向にのみ回転する機構であったが、この形態に限られるものではない。両方向に回転する機構を設けてもよい。
【０１３２】
また、手動修正系１５０および指針修正部１２０４により指針位置の修正を行う場合に、一方向にのみ回転して修正可能な構成の場合には、予め基準位置Ｐ０よりも修正可能な方向と逆方向の近傍領域ＡＲ１に目安針ｈ１９を設定することが好ましい。目安針ｈ１９が近傍領域ＡＲ１に設定された状態でリセットスイッチ１２０１が操作されると、制御回路１４は駆動パルス信号ＣＴＬ２を出力して目安針ｈ１９の示す位置に指針を移動させる。ユーザは手動修正系１５０および指針修正部１２０４を操作することで、修正可能な方向に指針を回転させて基準位置Ｐ０に設定することができる。
【０１３３】
手動修正系１５０および指針修正部１２０４により指針位置の修正を行う場合に、両方向に回転して修正可能な構成の場合には、目安針ｈ１９を基準位置Ｐ０または基準位置Ｐ０の近傍領域ＡＲ１，ＡＲ２に設定してよい。
【０１３４】
また、本実施形態では制御回路１４は基準位置Ｐ０を００時００分に設定し、リセット時に指針位置を基準位置Ｐ０に設定したが、この形態に限られるものではない。例えば制御回路１４が認識する基準位置Ｐ０に対して、ユーザがリセット時に設定する指針位置を、標準時刻より進めたい時間だけずらした位置に設定してもよい。
詳細には例えば、制御回路１４が認識する基準位置Ｐ０が００時００分の場合に、ユーザが００時１０分に指針を設定した状態で受信スイッチ１２０２を操作することで、標準時刻よりも１０分だけ正確に進んだ時刻表示を行わせることができる。
【０１３５】
また、本実施系形態では報知部はアラーム音により所定の時刻である旨を報知したが、この形態に限られるものではない。例えばからくり部を有し、制御回路１４からの信号Ｓ１８によりからくり部がからくり動作を行うことにより報知を行ってもよい。
【０１３６】
【発明の効果】
本発明によれば、単純な構造で煩雑な操作を行わずに時刻修正を行うことができる電波修正時計を提供することができる。
【図面の簡単な説明】
【図１】本発明に係る電波修正時計の一実施形態の機能ブロック図である。
【図２】図１に示した電波修正時計の正面図である。
【図３】図１に示した目安位置の設定位置を説明するための図である。
【図４】図１に示した電波修正時計の受信状態に応じた評価値の生成処理を説明するための図である。（ａ）は受信信号のサンプリング結果を示す図であり、（ｂ）は評価値Ａの生成処理を説明するための図であり、（ｃ）は評価値Ｂの生成処理を説明するための図である。
【図５】図１に示した電波修正時計の断面図である。
【図６】図５に示した電波修正時計の目安車付近の斜視図である。
【図７】図６に示した目安車付近の分解斜視図である。
【図８】図１に示した電波修正時計の目安接点を説明するための図である。
【図９】図１に示した電波修正時計の動作を説明するためのフローチャートである。
【図１０】図１に示した電波修正時計の動作を説明するためのフローチャートである。
【符号の説明】
１…電波修正時計、１１…標準電波受信系、１１ａ…受信アンテナ、１２…スイッチ、１３…発振回路、１４…制御回路、１５…ドライブ回路、１６…発光素子、１７…バッファ回路、１８…報知部、１９…目安機構、１００…時計本体、１１０…長波受信回路、１１１ｒ…４０ｋＨｚ受信回路、１１２ｒ…６０ｋＨｚ受信回路、１１１…下ケース、１１２…上ケース、１１３…中板、１２０…第１駆動系（秒針駆動系）、１２１…秒針用モータ（第１駆動源）、１２２…第１の５番車、１２３…秒針車、１３０…第２駆動系（時分針駆動系）、１３１…時分針用モータ（第２駆動源）、１３２…第２の５番車、１３４…分針車（第２指針車）、１３５…日の裏車、１３６…時針車（第２指針車）、１５０…手動修正系、１５１…手動修正軸、１５１ｂ…頭部、１９１…目安接点、１９２…目安設定部（目安針合わせカナ）、１００１…文字盤、１２０１…リセットスイッチ、１２０２…受信スイッチ、１２０３…アラームスイッチ、１２０４…指針修正部、１４０１…内部時計、１４０２…メモリ、１９０１…目安針合わせカナ（目安設定部）、１９０２…中間歯車、１９０３…目安車、１９０４…時伝え車、１９０５…目安カム、１９０６…弾性部材、ｈ１２…秒針、ｈ１９…目安針、ｈ１３１…分針、ｈ１３２…時針。
【図１】
2004354349.tif 000007
【図２】
2004354349.tif 000008
【図３】
2004354349.tif 000009
【図４】
2004354349.tif 000010
【図５】
2004354349.tif 000011
【図６】
2004354349.tif 000012
【図７】
2004354349.tif 000013
【図８】
2004354349.tif 000014
【図９】
2004354349.tif 000015
【図１０】
2004354349.tif 000016